(57)【特許請求の範囲】
【請求項１】
袋状の生地内に羽毛を収容した布団本体と、この布団本体を収容する袋状のカバーとを有する羽毛掛け布団において、
前記カバーは、この羽毛掛け布団の頭側端部に横方向に延在配置されて布団本体上を覆う衿部を前記布団本体の下面側全体を覆う下生地に連結してなるカバー本体と、前記衿部よりも前記横方向に直交する縦方向の寸法が大きく、足側に位置する前記布団本体上を覆うように設けられる表布とを有し、
前記表布の頭側端部と前記衿部の足側端部との間が前記衿部の足側端部に沿って横方向に延在された衿部ファスナーによって着脱可能に連結され、
前記表布の前記頭側端部を除く周囲と前記下生地との間が前記下生地の前記衿部が設けられている部分を除く領域の縁部に沿って周設された周囲ファスナーによって着脱可能に連結され、
前記衿部ファスナーと前記周囲ファスナーとを開放することで前記表布が離脱可能になっており、
前記衿部と前記布団本体との間を着脱可能に連結する布団止着用ファスナーが、前記衿部ファスナーよりもカバー内側にて前記衿部ファスナーに沿って延在されていることを特徴とする羽毛掛け布団。
【請求項２】
前記表布と前記カバー本体の前記下生地との連結部に介在配置されて前記表布の頭側端部を除く周囲から外側に延出するようにして周設される帯状の縁飾り布を有し、
前記縁飾り布には、前記周囲ファスナーを分離した前記下生地側のファスナー半体に着脱可能に連結される下ファスナーと、前記周囲ファスナーを分離した前記表布側のファスナー半体に着脱可能に連結される上ファスナーとが、その長手方向のほぼ全長にわたって延在配置されていることを特徴とする請求項１に記載の羽毛掛け布団。
【発明の詳細な説明】
【０００１】
【発明の属する技術分野】
本発明は、袋状の生地内に羽毛を収容した布団本体と、この布団本体を収容する袋状のカバーとを有する羽毛掛け布団に係り、特にカバーの意匠の変更が容易な羽毛掛け布団に関するものである。
【０００２】
【従来の技術】
従来の一般的な羽毛掛け布団は、袋状の生地内に羽毛を収容してなる布団本体を、生地を袋状に縫製してなるカバー内に収容して使用することが一般的である。布団本体は、カバーの一側部に設けられた開口部を介して、カバー内への収容やカバー内からの取り出しを行えるようになっている。前記カバーの開口部は、ファスナー等により開閉自在になっていることが一般的である。
【０００３】
【発明が解決しようとする課題】
ところで、布団の意匠性の要求が高まってきており、例えば季節の変化等に対応してカバーの意匠（柄、色等）を変えたいという要求がある。しかしながら、前述のような袋状のカバーではカバー全体を交換することになり、カバーの交換に手間が掛かることや、意匠の異なるカバーを複数用意するとなると購入者にとってコストが高く付き、また、嵩張って保管しにくいといった不満があった。
【０００４】
本発明は、前述の課題に鑑みてなされたもので、カバーの意匠を簡単に変更できる羽毛掛け布団を提供することを目的とする。
【０００５】
【課題を解決するための手段】
本発明は、袋状の生地内に羽毛を収容した布団本体と、この布団本体を収容する袋状のカバーとを有する羽毛掛け布団において、前記カバーは、この羽毛掛け布団の頭側端部に横方向に延在配置されて布団本体上を覆う衿部を前記布団本体の下面側全体を覆う下生地に連結してなるカバー本体と、前記衿部よりも前記横方向に直交する縦方向の寸法が大きく、足側に位置する前記布団本体上を覆うように設けられる表布とを有し、前記表布の頭側端部と前記衿部の足側端部との間が前記衿部の足側端部に沿って横方向に延在された衿部ファスナーによって着脱可能に連結され、前記表布の前記頭側端部を除く周囲と前記下生地との間が前記下生地の前記衿部が設けられている部分を除く領域の縁部に沿って周設された周囲ファスナーによって着脱可能に連結され、前記衿部ファスナーと前記周囲ファスナーとを開放することで前記表布が離脱可能になっており、前記衿部と前記布団本体との間を着脱可能に連結する布団止着用ファスナーが、前記衿部ファスナーよりもカバー内側にて前記衿部ファスナーに沿って延在されていることを特徴とする。
請求項２記載の発明は、前記表布と前記カバー本体の前記下生地との連結部に介在配置されて前記表布の頭側端部を除く周囲から外側に延出するようにして周設される帯状の縁飾り布を有し、前記縁飾り布には、前記周囲ファスナーを分離した前記下生地側のファスナー半体に着脱可能に連結される下ファスナーと、前記周囲ファスナーを分離した前記表布側のファスナー半体に着脱可能に連結される上ファスナーとが、その長手方向のほぼ全長にわたって延在配置されていることを特徴とする。
【０００６】
【発明の実施の形態】
以下本発明の１実施の形態の羽毛掛け布団を、図面を参照して説明する。
図１は本発明に係る羽毛掛け布団１を示す分解斜視図、図２は羽毛掛け布団１のカバー２の表布３を離脱した状態を示す斜視図、図３は羽毛掛け布団１の使用状態を示す図であって、（ａ）は斜視図、（ｂ）は（ａ）のＡ−Ａ線断面矢視図、（ｂ）は（ａ）のＢ矢視図であり、カバー２の衿部４の足側端部４ａ付近を示す。
【０００７】
図１から図３（ａ）〜（ｃ）において、羽毛掛け布団１は、袋状の生地内に羽毛を収容した布団本体５と、この布団本体５を収容する袋状のカバー２とを有している。この羽毛掛け布団１は全体が平面視長方形状に構成されており、布団本体５並びにカバー２も平面視長方形状になっている。
【０００８】
前記カバー２は、前記布団本体５の下面５ａ（図３（ｂ）参照）側全体を覆う下生地６に、この羽毛掛け布団１の頭側端部（図１、図２、図３（ａ）では紙面右奥側）に位置する布団本体５上を覆うように横方向に延在配置された衿部４を連結してなるカバー本体７と、前記衿部４よりも足側（頭側に対向する側。図１、図２、図３（ａ）では紙面左手前側）に位置する前記布団本体５上を覆うように設けられる表布３とを有して構成されている。前記衿部４は、足側端部４ａを除く周囲が下生地６に縫い付けられており、布団本体５の頭側端部を下生地６との間に収容するようになっている。
なお、ここで「頭側」とは、この布団の使用者の頭部に向けられる側のことである。また、「横方向」とは、平面視長方形状の羽毛掛け布団１並びにカバー２の頭側の一辺（縁部）に沿った方向であり、前記衿部４はカバー２の頭側縁部に沿って延在する帯状になっている。
【０００９】
前記表布３は長方形状又は正方形状に形成されている。図１〜図３（ａ）、（ｃ）に示すように、この表布３の頭側端部と前記衿部４の足側端部４ａとの間は、前記衿部４の足側端部４ａに沿って横方向に延在された衿部ファスナー９によって着脱可能に連結される。図３（ｂ）等に示すように、前記表布３の前記頭側端部を除く周囲と前記下生地６との間は、前記下生地６の前記衿部４が設けられている部分を除く領域の縁部に沿って周設された周囲ファスナー１０によって着脱可能に連結される。前記衿部ファスナー９と前記周囲ファスナー１０とを開放・分離すると、前記表布３をカバー本体７から離脱できる。
【００１０】
カバー２は、具体的には、平面視長方形状又は正方形状の表布３の頭側端部を除く三辺とこの三辺に対応する下生地６側の三辺とが、これら表布３及び下生地６の各辺に対応して設けられた３本のファスナー１１、１２、１３からなる周囲ファスナー１０によって着脱可能に連結され、さらに、衿部ファスナー９によって表布３の頭側端部が衿部４と着脱可能に連結されることで、布団本体５を収容する袋状に構成される。周囲ファスナー１０を構成する各ファスナー１１、１２、１３は個別に開閉可能であり、しかも、全てのファスナー１１、１２、１３を開放分離し、衿部ファスナー９も開放分離すると、表布３をカバー本体７から簡単に離脱できる。
図１、図２、図３（ａ）中、符号１４は、ファスナー９、１１〜１３の開閉スライダ１６、１７に取り付けられているレバー、図３（ｂ）、（ｃ）中、符号１５ａ、１５ｂは、ファスナー９、１１〜１３を外側から覆う隠し布である。
【００１１】
カバー本体７に対して表布３を簡単に着脱できる構成では、表布３を取り外した状態で、カバー本体７内に設けられた連結具８（紐、バンド等）による布団本体５とカバー本体７との連結作業や連結解除作業の作業性を向上できるといった利点がある。
【００１２】
図３（ａ）中、矢印ａ〜ｄは、いずれもファスナー９、１１〜１３を閉じる方向の開閉スライダ並びにレバー１４の移動方向を示すものであり、ファスナー９、１１〜１３の開放時には、開閉スライダを逆向きに移動すれば良い。
図３（ａ）〜（ｃ）に示すように、衿部ファスナー９は、レバー１４の操作等により開閉スライダ１７を移動し、衿部４側のファスナー半体９ａと表布３側のファスナー半体９ｂとを噛み合わせることで閉じられ、前記開閉スライダ１６の逆向きの移動によってファスナー半体９ａ、９ｂ同士の噛み合わせ状態が解除され、分離されることで開放される。周囲ファスナー１０の各ファスナー１１〜１３は、レバー１４の操作等により開閉スライダ１６を移動し、下生地６側のファスナー半体１０ａと、表布３側のファスナー半体１０ｂとを噛み合わせることで閉じられ、前記開閉スライダ１６の逆向きの移動によってファスナー半体１０ａ、１０ｂ同士の噛み合わせ状態が解除され、分離されることで開放される。
【００１３】
図３（ｃ）に示すように、この羽毛掛け布団１では、前記衿部４と前記布団本体５との間が、前記衿部ファスナー９よりもカバー２内側にて前記衿部ファスナー９に沿って延在されている布団止着用ファスナー１８によって着脱可能に連結されるため、カバー２内での布団本体５のズレが生じにくい。前記布団止着用ファスナー１８は、具体的には、衿部４の横方向全長にわたってカバー２内側にフィン状に延出された連結帯１９ａの延出先端に沿って設けられたファスナー半体１８ａと、布団本体５上に横方向全長にわたってフィン状に設けられた連結帯１９ｂの先端に沿って設けられたファスナー半体１８ｂとを、開閉スライダ２０の移動によって噛み合わせることで閉じられ、開閉スライダ２０の逆向きの移動によって両ファスナー半体１８ａ、１８ｂ間の噛み合わせを解除することで開放される。
【００１４】
羽毛掛け布団１を組み立てるには、まず、表布３を取り外した状態のカバー本体７に布団本体５を収容して（布団本体５を下生地６上に一致させるようにして配置し、布団本体５の頭側端部を衿部４と下生地６との間に収容する）、前記布団止着用ファスナー１８で衿部４と布団本体５との間を連結した後、衿部４よりも足側に露出する布団本体５上に被せるようにして配置した表布３を衿部ファスナー９と周囲ファスナー１０でカバー本体７に連結、一体化する。
羽毛掛け布団１のカバー２から布団本体５を分離するには、まず、衿部ファスナー９と周囲ファスナー１０とを開放、分離してカバー２から表布３を取り外し、次いで、布団止着用ファスナー１８を開放、分離した後、カバー本体７と布団本体５とを分離する。
【００１５】
この羽毛掛け布団１では、カバー本体７に対する表布３の着脱が容易であるため、意匠の異なる表布３をカバー本体７に対して選択使用することも簡単である。例えば、使用者は、意匠の異なる複数種類の表布３を購入しておけば、カバー本体７に対して表布３を選択的に取り付けることで、実質的に、意匠の異なる複数種類のカバー２を所有したことになる。この場合、使用者は、カバー２全体を複数購入する訳ではないので経済的に有利であり、しかも、表布３に対してカバー本体７の所有数は１又は表布３よりも少なくて済むため、保管スペースも小さくて済む。さらに、意匠の異なる複数種類のカバー本体７と、意匠の異なる複数種類の表布３とを所有すれば、カバー本体７と表布３との組み合わせによって、さらに多種類のカバー２を所有したことになり、しかも、好みの意匠の組み合わせ等を自在に実現できる等の利点もある。
【００１６】
（別の実施の形態）
図４から図６（ａ）〜（ｃ）は、前述の羽毛掛け布団１の表布３の頭側端部を除く三辺と下生地６との間の連結部に、カバー２の外側に突出するフリルを形成する縁飾り布２１が周設された羽毛掛け布団２２を示す。図４は前記羽毛掛け布団２２を示す分解斜視図、図５は表布３を分離した状態を示す斜視図、図６は羽毛掛け布団２２の使用状態を示す図であって、（ａ）は斜視図、（ｂ）は（ａ）のＣ−Ｃ線断面矢視図、（ｂ）は（ａ）のＤ矢視図であり、カバー２の衿部４の足側端部４ａ付近を示す。
【００１７】
図４から図６（ａ）〜（ｃ）に示すように、前記縁飾り布２１は、周囲ファスナー１０の全長にわたって設けられる帯状に形成されており、カバー２から外側に突出されるフリル部２３と、下ファスナー２４と、上ファスナー２５とが、その長手方向のほぼ全長にわたって延在配置された構成になっている。上下のファスナー２４、２５は、周囲ファスナー１０を分離したファスナー半体１０ａ、１０ｂと着脱可能に噛み合うファスナー半体である。
【００１８】
この縁飾り布２１は、羽毛掛け布団１の周囲ファスナー１０を分離した一対のファスナー半体２４、２５間に介在させ、周囲ファスナー１０の下生地６側のファスナー半体１０ａに下ファスナー２４を噛み合わせて連結し、周囲ファスナー１０の表布３側のファスナー半体１０ｂに上ファスナー２５を噛み合わせて連結することで、表布３と下生地６との間の連結部に簡単に介在させて取り付けることができる。これにより、羽毛掛け布団２２を簡単に組み立てることができる。また、周囲ファスナー１０の下生地６側のファスナー半体１０ａと下ファスナー２４との間、周囲ファスナー１０の表布３側のファスナー半体１０ｂと上ファスナー２５との間の噛み合わせを解除し、開放することで、カバー２から縁飾り布２１を簡単に離脱できる。
【００１９】
なお、図６（ｂ）の符号２６は、周囲ファスナー１０の下生地６側のファスナー半体１０ａと下ファスナー２４との間を開閉する開閉スライダ、符号２７は周囲ファスナー１０の表布３側のファスナー半体１０ｂと上ファスナー２５との間を開閉する開閉スライダを示す。下ファスナー２４は、周囲ファスナー１０を構成する各ファスナー１１〜１３の表布３側のファスナー半体１０ａに対応して３本設けられており、周囲ファスナー１０の各ファスナー１１〜１３のファスナー半体１０ｂに対してそれぞれ個別に開閉、着脱できる。上ファスナー２５も、周囲ファスナー１０を構成する各ファスナー１１〜１３の表布３側のファスナー半体１０ｂに対応して３本設けられており、周囲ファスナー１０の各ファスナー１１〜１３のファスナー半体１０ｂに対してそれぞれ個別に開閉、着脱できる。
また、図６（ｃ）に示すように、表布３と下生地６との間に縁飾り布２１を介在配置しても、衿部４と表布３との間の連結状態、衿部４と布団本体５との間の布団止着ファスナー１８を介した連結状態は、何等変更する必要が無い。
【００２０】
この羽毛掛け布団２２では、縁飾り布２１をカバー２に対して簡単に着脱できるため、例えば、使用者が、フリル部２３の色、柄、形状、寸法等の意匠が異なる複数種類の縁飾り布２１を所有し、カバー２に対して選択的に取り付けるようにすることで、実質的に、多種類のカバーを所有したことになる。前述の表布３やカバー本体７の意匠の組み合わせに、縁飾り布２１の組み合わせを加えることで、多様な意匠のカバーを自在に選択することが可能になる。
【００２１】
なお、本発明は、前記実施の形態に限定されず、各種変更が可能であることは言うまでも無い。
【００２２】
【発明の効果】
以上説明したように、本発明の羽毛掛け布団によれば、布団本体を収容するカバーの前記布団本体上を覆う部分が、前記布団本体下面側全体を覆う下生地に連結されている衿部と、この衿部及び前記下生地に対してファスナーによって着脱される着脱容易な表布とに分離されているため、意匠の異なる表布を選択使用することによってカバーの意匠を自在に変更できる。また、意匠の異なる複数種類の表布と、意匠の異なる複数種類のカバー本体との組み合わせによって、カバーの意匠をより自由に変更できる。さらに、ファスナーによって、表布と下生地との連結部に容易に着脱できる縁飾り布によって、カバーの意匠変更の幅を一層広げることができる。
【図面の簡単な説明】
【図１】  本発明に係る羽毛掛け布団を示す分解斜視図である。
【図２】  図１の羽毛掛け布団のカバーの表布を離脱した状態を示す斜視図である。
【図３】  図１の羽毛掛け布団の使用状態を示す図であって、（ａ）は斜視図、（ｂ）は（ａ）のＡ−Ａ線断面矢視図、（ｂ）は（ａ）のＢ矢視図でありカバーの衿部の足側端部付近を示す。
【図４】  本発明の別の実施の形態の羽毛掛け布団を示す図であって、フリル部を有する縁飾り布を適用した例を示す分解斜視図である。
【図５】  図４の羽毛掛け布団の表布を分離した状態を示す斜視図である。
【図６】  図４の羽毛掛け布団の使用状態を示す図であって、（ａ）は斜視図、（ｂ）は（ａ）のＣ−Ｃ線断面矢視図、（ｂ）は（ａ）のＤ矢視図でありカバーの衿部の足側端部付近を示す。
【符号の説明】
１…羽毛掛け布団、２…カバー、３…表布、４…衿部、４ａ…足側端部、５…布団本体、５ａ…布団本体の下面、６…下生地、７…カバー本体、９…衿ファスナー、１０〜１３…周囲ファスナー、１８…布団止着ファスナー、２１…縁飾り布、２２…羽毛掛け布団、２４…下ファスナー、２５…上ファスナー。
【図１】
0004975219.tif 000002
【図２】
0004975219.tif 000003
【図３】
0004975219.tif 000004
【図４】
0004975219.tif 000005
【図５】
0004975219.tif 000006
【図６】
0004975219.tif 000007